(57)【要約】【課題】施工現場での施工を行い易くしたキャビネットを提案する。【解決手段】本発明は、前面２ａに前開口４を有し内部を収納空間３とする本体部２と、本体部２の前面２ａの上部に取り付ける幕板３０と、本体部２の上方に取り付けるカウンタ１０と、カウンタ１０に幕板３０を取り付ける取付部材４０とを備え、取付部材４０は、左右に長尺で下部の前面２ａに幕板３０を取り付ける縦片部４１と、縦片部４１の上端に設けられカウンタ１０の下方に取り付ける取付部４６とで形成され、縦片部４１に、幕板３０の上部とその上方に位置するカウンタ１０の前部との間に露出する取手形状部５０を一体に設けた。【選択図】図１
2014135978.tif 000002
【特許請求の範囲】
【請求項１】
前面に前開口を有し内部を収納空間とする本体部と、前記本体部の前面の上部に取り付ける幕板と、前記本体部の上方に取り付けるカウンタと、このカウンタに前記幕板を取り付ける取付部材とを備え、
前記取付部材は、左右に長尺で下部の前面に前記幕板を取り付ける縦片部と、この縦片部の上端に設けられ前記カウンタの下方に取り付ける取付部とで形成され、
前記縦片部に、前記幕板の上部とその上方に位置する前記カウンタの前部との間に露出する取手形状部を一体に設けたものであることを特徴とするキャビネット。
【請求項２】
前記取付部は、前記縦片部の上端から前方に突出した横片部で形成され、
この横片部は、平面視において前記取手形状部に比べて前方に前記カウンタへの取付部位を有するものであることを特徴とする請求項１記載のキャビネット。
【請求項３】
前記本体部は、上面に上開口を有し、
前記取付部は、前記縦片部から後方に突出した横片部で形成され、
この横片部は、平面視において前記上開口と重なる位置に前記カウンタへの取付部位を有するものであることを特徴とする請求項１記載のキャビネット。
【請求項４】
前記本体部は、前記前面の上端に至るまで開口する前記前開口と、上面に形成され前記開口に前端が連通する上開口とを有し、
前記カウンタは、前記収納空間に配置する下突出部を有し、前記上開口を覆う状態で、前記本体部に取り付けられ、
前記幕板は、前記前開口の上部を覆う状態で、前記カウンタに前記取付部材を介して脱着自在に取り付けられるものであることを特徴とする請求項１乃至３のいずれか一項記載のキャビネット。
【請求項５】
前記前開口が、前記前面の上端に至るまで開口し、
前記本体部に、前記幕板を側方側から保持する保持部を設け、
前記幕板に、前記保持部に脱着自在で保持される被保持部を設けたものであることを特徴とする請求項１乃至４のいずれか一項記載のキャビネット。
【発明の詳細な説明】
【技術分野】
【０００１】
本発明は、キャビネットに関する。
【背景技術】
【０００２】
特許文献１には、カウンタートップの取付構造が開示されている。この取付構造では、Ｌ字形状の取付具を介して、キャビネット上面にカウンタートップが固定される。この取付具は、戸当たり幕板の内面側に固定される。
【先行技術文献】
【特許文献】
【０００３】
【特許文献１】特開平７−２１３３６１公報
【発明の概要】
【発明が解決しようとする課題】
【０００４】
ところで、この種のキャビネットでは、その収納棚や収納扉等の前面に、左右に長尺な取手が配置してある。そして、このキャビネットでは、全体の意匠性向上のため、前記取手との整合性を考慮して、戸当たり幕板の上端とカウンタートップの前端との間に、前記取手を模した取手形状部を配置することができる。このものでは、取手形状部によって、戸当たり幕板周辺の外観形状を、その左右や上下に位置する収納棚や収納扉等の外観形状に近づけることができる。
【０００５】
しかしながら、この場合では、施工現場において、取手形状部と取付具とを夫々ねじ等で戸当たり幕板に固定した後、取付具を介してカウンタートップを戸当たり幕板に固定している。このため、施工現場では、例えば、戸当たり幕板の取付作業、取手形状部の取付作業、取付具の取付作業、カウンタートップの取付作業の４つの作業を行う必要があり、施工現場で作業に要する時間（施工時間）が長くなり易いという問題がある。
【０００６】
そこで、前記事情を鑑みて、本発明は、施工現場での施工を行い易くしたキャビネットを提案することを課題とする。
【課題を解決するための手段】
【０００７】
前記課題を解決するために本発明は、前面に前開口を有し内部を収納空間とする本体部と、前記本体部の前面の上部に取り付ける幕板と、前記本体部の上方に取り付けるカウンタと、このカウンタに前記幕板を取り付ける取付部材とを備え、前記取付部材は、左右に長尺で下部の前面に前記幕板を取り付ける縦片部と、この縦片部の上端に設けられ前記カウンタの下方に取り付ける取付部とで形成され、前記縦片部に、前記幕板の上部とその上方に位置する前記カウンタの前部との間に露出する取手形状部を一体に設けたものであることを特徴とする。
【０００８】
また、前記取付部は、前記縦片部の上端から前方に突出した横片部で形成され、この横片部は、平面視において前記取手形状部に比べて前方に前記カウンタへの取付部位を有するものであることが好ましい。
【０００９】
また、前記本体部は、上面に上開口を有し、前記取付部は、前記縦片部から後方に突出した横片部で形成され、この横片部は、平面視において前記上開口と重なる位置に前記カウンタへの取付部位を有するものであることが好ましい。
【００１０】
また、前記本体部は、前記前面の上端に至るまで開口する前記前開口と、上面に形成され前記開口に前端が連通する上開口とを有し、前記カウンタは、前記収納空間に配置する下突出部を有し、前記上開口を覆う状態で、前記本体部に取り付けられ、前記幕板は、前記前開口の上部を覆う状態で、前記カウンタに前記取付部材を介して脱着自在に取り付けられるものであることが好ましい。
【００１１】
また、前記前開口が、前記前面の上端に至るまで開口し、前記本体部に、前記幕板を側方側から保持する保持部を設け、前記幕板に、前記保持部に脱着自在で保持される被保持部を設けたものであることが好ましい。
【発明の効果】
【００１２】
本発明は、取付部材を幕板に取り付けることで、取手形状部及び取付部材の両方を幕板に取り付けることができる。このため、本発明は、施工現場において、取付部材の取付作業を行うことで、取手形状部も配置することができて、施工現場での作業工数を削減することができる。これによって、本発明は、施工時間を短縮し易くすることができて、キャビネットを設置し易くすることができる。
【図面の簡単な説明】
【００１３】
【図１】実施形態のキャビネットの側断面図である。
【図２】図１の領域Ｂを拡大した側断面図である。
【図３】本体部の側断面図である。
【図４】カウンタの側面図である。
【図５】取付部材を取り付けた幕板を示し、（ａ）が被保持部を省略した斜視図であり、（ｂ）が幕板上部側の側面図である。
【図６】キャビネットの斜視図である。
【図７】変形例における取付部材を取り付けた幕板を示し、（ａ）が被保持部を省略した斜視図であり、（ｂ）が幕板上部側の側面図である。
【発明を実施するための形態】
【００１４】
以下、本発明を添付図面に基づいて説明する。本実施形態のキャビネット１は、例えばキッチン等に設けてあり、所謂キッチンキャビネットとなっている。キャビネット１は、図１や図６に示すように、平面視矩形で箱形状となっており、キッチン等の床面に載置される等で設置される。以下、この設置された姿勢を基準にキャビネット１を説明する。
【００１５】
キャビネット１は、平面視矩形で箱状の本体部２を備える。本体部２は、図３に示すように、前面２ａ及び上面２ｂに矩形状の開口を有する。前面２ａの開口は、前面２ａにおいて、下端部から上端に至るまで開口して形成される。上面２ｂの開口は、上面２ｂにおいて、後端部（後端を含まない）から前端に至るまで開口して形成される。このため、前面２ａの開口は、その上端が、上面２ｂの開口の前端に連通する。
【００１６】
以下、前面２ａの開口を前開口４とし、上面２ｂの開口を上開口５とする。そして、前面２ａにおける下端部は、下端を含まない下端より上方の部位であり、上面２ｂにおける後端部は、後端を含まない後端より前方の部位である。
【００１７】
本体部２は、その内部（箱の内側）が収納空間３となっている。収納空間３は、上開口５及び前開口４に連通する。言い換えると、収納空間３は、本体部２の前面２ａ及び上面２ｂに開口する。本体部２は、上面２ｂ（上開口５）の略全体が、カウンタ１０に覆われる。
【００１８】
カウンタ１０は、図４に示すように、平面視矩形の板状部１１で形成される。そして、カウンタ１０は、図１に示すように、板状部１１で上開口５を覆う状態で、本体部２に取り付けられる。
【００１９】
板状部１１は、その左右の全長が、本体部２の左右の全長と略同じ寸法になっている。そして、板状部１１は、その前後の全長が、本体部２の前後の全長に比べて若干長くなっており、前端縁１１ａが、本体部２より前方に突出して位置する。前端縁１１ａには、垂下片１２が設けてあり、垂下片１２は板状部１１の下面から下方に突出して形成される。垂下片１２は、板状部１１を本体部２に取り付けた状態において、前開口４より前方に位置しており、前開口４の上端を覆う。
【００２０】
板状部１１は、本体部２に取り付けた状態において、前端縁１１ａ以外の残りの端縁（左右の両側端縁及び後端縁１１ｂ）の下面が、本体部２の両側面２ｃの上端（上面２ｂの両側端）及び後面２ｄの上端（上面２ｂの後端）に当接される。言い換えると、カウンタ１０は、前端縁１１ａを除く他の端縁が、本体部２の上端部（上面２ｂの両側端及び上面２ｂの後端）に載置される。これによって、板状部１１は、上開口５を覆う。そして、板状部１１は、この状態において、その後部の両側が固定部材１５を介して本体部２に固定される。これによって、カウンタ１０は、上面２ｂ（本体部２）上方に固定される。
【００２１】
更に、カウンタ１０は、図４に示すように、下突出部１３を有する。下突出部１３は、板状部１１の下面より下方に突出して設けてある。更に、下突出部１３は、前後において、板状部１１の略中央に位置する。そして、下突出部１３は、図６に示すように、左右において、板状部１１の片側に偏って（後述の第１収納空間３ａ側に）位置する。下突出部１３は、例えば、板状部１１から下方に凹んだシンクとなっている。また、下突出部１３は、図１に示すように、板状部１１を本体部２に取り付けた状態において、収納空間３（後述の第１収納空間３ａ）に配置される。
【００２２】
また、本体部２は、図１に示すように、収納空間３を左右に区画する仕切り壁７を有する。このため、収納空間３は、仕切り壁７によって、第１収納空間３ａと第２収納空間（図示せず）とに区画される。言い換えると、本実施形態において、第１収納空間３ａ及び前記第２収納空間は左右に仕切り壁７を介して隣接する。そして、第１収納空間３ａ及び前記第２収納空間は各々、その左右に位置する側面（本体部２の側面２ｃ）のうちの一方が、仕切り壁７で形成される。
【００２３】
第１収納空間３ａには、図１に示すように、例えば、下突出部１３及び収納棚２０が収納される。収納棚２０は、第１収納空間３ａにおいて、下突出部１３より下方に配置される。言い換えると、下突出部１３は、第１収納空間３ａの上部に収納され、収納棚２０は、第１収納空間３ａの下部に収納される。
【００２４】
収納棚２０は、上下に２段並んで設けてある。言い換えると、第１収納空間３ａの下部には、下側の収納棚２１と上側の収納棚２２とが配置される。２段の収納棚２０は各々、前開口４を介して第１収納空間３ａから出し入れ自在となっている。
【００２５】
収納棚２０は夫々、例えば、棚本体２３（本説明では、その前部のみ図示）と、棚本体２３を前後にスライド移動自在で支持する支持部２４とを備える。支持部２４は、前後に長尺なレール形状となっており、両側面２ｃの第１収納空間３ａ側に固定してある。棚本体２３は、支持部２４に沿って前方にスライド移動することで、第１収納空間３ａから突出させることできる。そして、棚本体２３は、第１収納空間３ａから突出した状態において、支持部２４に沿って後方にスライド移動することで、第１収納空間３ａに収納させることができる。
【００２６】
また、下側の収納棚２１は、棚本体２３の前部の上端に、下方に凹む溝（図示せず）が設けてある。この溝は、棚本体２３の前部の左右の幅と略同寸（或いは若干小寸）で形成される。そして、この溝は、その上部が前方に開口しており、前方から利用者の指等を溝内に挿通可能になっている。このため、下側の収納棚２１は、前記溝が棚本体２３のスライド移動の操作部になっている。
【００２７】
上側の収納棚２２は、棚本体２３の前部の上端部或いは上端に、金属製の取手２５が設けてある。取手２５は、左右に長尺で形成されており、その断面形状（左右に直交する断面形状）が下向き矩形のＵ字になっている。そして、取手２５は、Ｕ字の前辺の下端と、棚本体２３の前部の上端との間が前後に開口しており、前方から利用者の指等をＵ字の内側に挿通可能になっている。言い換えると、上側の収納棚２２は、棚本体２３のスライド移動（収納空間３に対する出し入れ）の操作部として取手２５を備える。
【００２８】
更に、両収納棚２０は、棚本体２３を第１収納空間３ａに入れた（収納した）状態において、その前部が前開口４を覆う。このとき、前開口４は、その上部が上側の収納棚２２の前部（取手２５の上端）より上方に位置する。言い換えると、各収納棚２０を収納空間３に収納した状態において、前開口４は、その上部が、いずれの収納棚２０の前部にも覆われない。そして、前開口４の上部は、幕板３０及び幕板３０用の取付部材４０（詳細は後述する）によって覆われる。
【００２９】
幕板３０は、図５に示すように、板状になっており、その左右の全長が上下の幅に比べて長尺になっている。図１に示すように、幕板３０は、その板面で、第１収納空間３ａにおける前開口４の上部を覆う。言い換えると、幕板３０は、板面を前後に向けた状態で、本体部２の前面２ａ上部に配置される。詳しくは、図６に示すように、幕板３０の左右の全長が、第１収納空間３ａにおける前開口４の左右の全長と、略同じ寸法になっている。そして、幕板３０の上下の幅は、第１収納空間３ａにおける前開口４の上部の全長に比べて小さい寸法（小寸）になっている。
【００３０】
また、幕板３０は、前側の板面（前板面）が、意匠性を有する外観面（意匠面）となっており、この外観面は、収納棚２０の前部と略同じ意匠になっている。言い換えると、幕板３０と収納棚２０の前部とは、同じ色や同じ柄（模様）となっている。更に、幕板３０は、例えば、収納棚２０の前部と同じ部材で形成される。そして、幕板３０は、図２に示すように、取付部材４０を介してカウンタ１０に取り付けられる。
【００３１】
図５に示すように、取付部材４０は、その下部が、幕板３０の後側の板面（後板面）に取り付けられる。そして、図２に示すように、取付部材４０は、その上部がカウンタ１０の下部前方部位（前部下面）に取り付けられる。これによって、施工現場において、幕板３０はカウンタ１０に取り付けられる。
【００３２】
更に、図５に示すように、取付部材４０は、左右に長尺な板状になっており、その断面形状（左右に直交する断面形状）が、上下逆向きのＬ字状になっている。言い換えると、取付部材４０は、前後に板面が向く縦片部４１と、縦片部４１の上端に設けられ上下に板面が向く横片部４２とを一体で有しており、縦片部４１と横片部４２とで形成される。
【００３３】
縦片部４１は、その下部の左右の全長が、幕板３０（前開口４）の左右の全長に比べて若干小さい寸法になっている。そして、縦片部４１の下部は、前後に貫通した貫通孔４３ａ（第１の貫通孔）が設けてある。貫通孔４３ａは、左右に沿った一直線上に、複数並んで設けてあり、各々ねじやビス等の固着具４３ｂ（第１の固着具）が挿通可能になっている。施工現場において、固着具４３ｂは、その軸部を貫通孔４３ａに挿通して、幕板３０の前記後板面に固着される。これによって、施工現場において、縦片部４１が、幕板３０に取り付けられる。
【００３４】
更に、縦片部４１は、その上部（前記下部より上方の部位）の左右の全長が、幕板３０の左右の全長と略同じ寸法になっている。そして、縦片部４１の前記下部を幕板３０に取り付けた状態において、縦片部４１の前記上部は、幕板３０の上方に位置する。このため、この状態において、縦片部４１の前記上部は、前開口４の幕板３０の上端より上方の部位を覆う。
【００３５】
また、縦片部４１の前記上部には、取手形状部５０が一体に設けてある。なお、この一体に設けてあるとは、例えば、一体成形等によって縦片部４１に取手形状部５０を一体に形成した場合と、製造時等の施工現場に持ち込む前に縦片部４１に取手形状部５０を固定して一体化した場合との両方の意味を含む。
【００３６】
取手形状部５０は、例えば金属製となっている。取手形状部５０は、左右に長尺で形成されており、その左右の全長が、図６に示すように、第１収納空間３ａにおける前開口４（縦片部４１の前記上部）の左右の全長と略同じ寸法になっている。そして、図５に示すように、取手形状部５０は、その断面形状（左右に直交する断面形状）が下向き矩形のＵ字になっており、図６に示すように、その外観形状が、取手２５の外観形状と略同じ形状になっている。言い換えると、取手形状部５０は、取手２５を模した外観形状になっている。このため、図２に示すように、取手形状部５０は、Ｕ字の前辺の下端と、幕板３０の上端との間が前後に開口している。
【００３７】
更に、取手形状部５０は、その上端が、縦片部４１の上端より下方に位置する。そして、取手形状部５０は、正面視（前後に視た状態）において、カウンタ１０の垂下片１２と幕板３０との上下の間に位置する。このため、取手形状部５０は、縦片部４１の前記間に位置する部位（前開口４の前記間に位置する部位）を覆う。言い換えると、取手形状部５０は、正面視において、幕板３０の上部とカウンタ１０の前部との間でキャビネット１の外観に露出する。そして、縦片部４１の取手形状部５０より上方の部位は、正面視において、垂下片１２に覆われて、キャビネット１の外観に露出しない。
【００３８】
横片部４２は、縦片部４１の上端から前後の一方に突出して形成されており、その上面２ｂがカウンタ１０の前部に当接される。例えば、横片部４２は、図２や図５に示すように、後方に突出しており、縦片部４１に比べて後方で、板状部１１の前部下面に当接される。そして、この状態で、横片部４２は、平面視（上下に透過して視た状態）において、上開口５上に位置する（上開口５に重なって位置する）。
【００３９】
更に、横片部４２は、図５に示すように、左右の略中央に、上下に貫通した貫通孔４４ａ（第２の貫通孔）が設けてある。貫通孔４４ａは、前後において、縦片部４１から所定の距離離れた位置に形成されており、ねじ等の固着具４４ｂ（第２の固着具）を上下に挿通可能になっている。図２に示すように、施工現場において、固着具４４ｂは、その軸部を貫通孔４４ａに挿通して、板状部１１の前部下面に脱着自在で固着される。これによって、横片部４２は、施工現場において、カウンタ１０前部の下方に取り付けられる。すなわち、横片部４２は、取付部材４０をカウンタ１０に取り付ける取付部４６になっている。そして、横片部４２は、貫通孔４４ａを設けた部位が、カウンタ１０への取付部位４６ａになっている。
【００４０】
また、幕板３０の側端には、図５（ｂ）に示すように、被保持部５４が設けてある。そして、本体部２の側面２ｃの第１収納空間３ａ側には、図３に示すように、被保持部５４保持用の保持部５５が設けてある。被保持部５４は、保持部５５に対して脱着自在になっている。言い換えると、図２に示すように、幕体は、その両側方（被保持部５４）が脱着自在で本体部２（保持部５５）に保持される。
【００４１】
前記第２収納空間には、例えば、上下３段の収納棚が収納される。この３段の収納棚のうち、最下段の収納棚９５は、第１収納空間３ａの下側の収納棚２１と略同じ構成になっており、上下における中間の収納棚９６は、第１収納空間３ａの上側の収納棚２２と略同じ構成になっている。このため、キャビネット１は、前記第２収納空間における前開口の下部が、最下段の収納棚９５及び中間の収納棚９６の前部で覆われる。
【００４２】
そして、前記３段の収納棚のうち、最上段の収納棚９７は、前記第２収納空間における前開口（前面２ａ）の上部に配置される。このため、キャビネット１は、前記第２収納空間における前開口の上部が、最上段の収納棚９７の前部で覆われる。
【００４３】
また、中間の収納棚９６及び最上段の収納棚９７は、その前部の上端部或いは上端に、取手２５が設けてある。そして、取手２５は、その外観形状が、上側の収納棚２２の取手２５や取手形状部５０の外観形状と、略同じ形状になっている。更に、最上端の収納棚９７の取手２５は、その長手方向が、左右において、取手形状部５０の長手方向と一直線上に並ぶ。そして、中間の収納棚９６の取手２５は、その長手方向が、左右において、上側の収納棚２２の取手２５の長手方向と一直線上に並ぶ。
【００４４】
このように、キャビネット１は、取付部材４０を幕板３０に取り付けることで、取手形状部５０及び取付部材４０の両方を幕板３０に取り付けることができる。このため、キャビネット１は、施工現場において、取付部材４０の取付作業を行うことで、取手形状部５０の取付作業を省略することができて、施工現場での作業工数を削減することができる。言い換えると、キャビネット１は、取付部材４０に取手形状部５０を一体に設けたことで、施工現場において、取手形状部５０を取付部材４０（縦片部４１）や幕板３０に取り付ける作業を省くことができる。これによって、キャビネット１は、施工時間（施工現場における作業時間）を短縮し易くすることができて、キャビネット１を設置し易くする（施工し易くする）ことができる。
【００４５】
更に、取手形状部５０は、幕板３０とカウンタ１０（垂下片１２）との間に露出する。そして、取手形状部５０は、その外観形状が、取手形状部５０と上下に並ぶ上側の収納棚２２の外観形状や、取手形状部５０と左右に並ぶ最上段の収納棚９７等の取手２５の外観形状と、略同じ形状になっている。このため、キャビネット１は、その外観（前面形状）を見た利用者に、一体感のある外観印象を与え易くすることができる。言い換えると、キャビネット１は、利用者が外観を視た際に、幕板３０の上部（取手形状部５０）と収納棚２０の取手２５との外観における違和感を与え難くすることができる。
【００４６】
また、取付部材４０は、縦片部４１が取手形状部５０と板状部１１との間の前開口４を覆う。このため、キャビネット１は、取手形状部５０の上方にパッキン部材等を取り付けなくても、取手形状部５０の上面２ｂに付着した塵等の第１収納空間３ａへの侵入を抑制することができる。これによって、キャビネット１は、前記パッキン部材の取付作業を廃する等で、施工を行い易くしたり、取手形状部５０の上面２ｂの清掃で済む等、前記塵の除去等の清掃を行い易くしたりすることができる。
【００４７】
そして、縦片部４１は、正面視において、取手形状部５０より上方に位置する部位が垂下片１２に隠れて位置する。このため、キャビネット１は、その外観において、縦片部４１を目立ち難くすることができる。そして、取付部材４０は、横片部４２が縦片部４１の後方に突出し、取付部位４６ａが収納空間３（上開口５）に位置する。このため、キャビネット１は、その外観において、横片部４２を目立ち難くすることができる。
【００４８】
すなわち、キャビネット１は、その外観において、取付部材４０が目立ち難くなっている。このため、キャビネット１は、その外観印象に取付部材４０を影響し難くすることができて、前記一体感のある外観印象を保ち易くすることができる。
【００４９】
更に、キャビネット１は、幕板３０と取付部材４０とで前開口４の上部を覆うため、所謂横桟を幕板３０とは別に設けずに済む。このため、キャビネット１は、施工現場での作業工数を削減する等で、施工を行い易くすることができる。
【００５０】
そして、キャビネット１は、前記横桟を別に設けなくて済むため、幕板３０を取り付ける前や取り外した状態において、前開口４の上部を開放可能とすることができる。このため、キャビネット１は、板状部１１を本体部２の前記上端縁に載置した状態で、カウンタ１０を本体部２の両側面２ｃ上端（上面２ｂの両側端）に沿って前後にスライド移動させることができる。これによって、キャビネット１は、下突出部１３を前開口４の上部から第１収納空間３ａに配置することができて、施工現場での施工を行い易くすることができる。
【００５１】
更に、カウンタ１０は、その交換時等において、前開口４を開放した状態で板状部１１を前方にスライド移動させることで、下突出部１３を第１収納空間３ａから前方に引き出すことができる。これによって、キャビネット１は、前記交換時等において、その作業現場（キャビネット１設置場所）での作業を行い易くすることができる。
【００５２】
また、幕板３０は、被保持部５４及び保持部５５によって、本体部２に対して前後及び左右において位置規定される。このため、幕板３０は、取付部材４０を介してカウンタ１０に取り付けた状態において、保持部５５での被保持部５４の保持によって、前後や左右への撓みを抑制し易くすることができる。これによって、キャビネット１は、その利用時等において、幕板３０の変形や破損等を生じ難くすることができて、キャビネット１の使い勝手を良くし易くすることができる。更に、幕板３０は、左右において本体部２で保持されるため、前記前桟としての機能を兼ねることができる。これによって、キャビネット１は、本体部２における前面２ａ上部を補強することができる。
【００５３】
そして、幕板３０は、本体部２に対して固着されず脱着自在の保持に留まるため、カウンタ１０から取り外し、被保持部５４を保持部５５から離脱させることで、前開口４の上部から取り除くことができる。言い換えると、キャビネット１は、固着具４４ｂを取り外すだけで、幕板３０を本体部２及びカウンタ１０から容易に取り外して、前開口４の上部を開放させることができる。
【００５４】
また、取付部材４０は、例えば、図７に示すように、横片部４２を縦片部４１から前方に突出して形成してもよい。この場合、横片部４２及び固着具４４ｂは、垂下片１２と縦片部４１との間に位置する。言い換えると、横片部４２及び固着具４４ｂは、正面視において、垂下片１２に比べて後方で且つ縦片部４１に比べて前方に位置する。このため、横片部４２及び固着具４４ｂは、正面視において、垂下片１２に覆われて、キャビネット１の外観に露出しない。
【００５５】
このように、横片部４２を前方に突出させた場合では、取付部材４０のカウンタ１０への脱着を本体部２より前方で行うことができる。このため、キャビネット１は、取付部材４０のカウンタ１０への脱着時において、収納空間３における収納棚２０を含む収納物の有無の影響を受け難くすることができる。これによって、キャビネット１は、施工現場での施工を行い易くすることができる。
【００５６】
更に、垂下片１２は、平面視において、幕板３０に比べて前方に位置する。そして、横片部４２の取付部位４６ａ（貫通孔４４ａ）は、平面視において、取手形状部５０及び幕板３０に比べて前方に位置する。このため、取付部材４０は、カウンタ１０への取付時に、例えば、ドライバー等の固着具４４ｂ用の工具の使用に、取手形状部５０等を干渉し難くすることができる。
【００５７】
なお、本発明は、前述した実施形態の構成のみに限定されるものではなく、本発明の意図する範囲内であれば、適宜の設計変更を行うことが可能である。例えば、本体部２は、仕切り壁７を備えない等で、収納空間３として第１収納空間３ａのみを有したものであってもよい。この場合、カウンタ１０は、第１収納空間３ａの上方のみを覆うものであればよい。また例えば、収納空間３は、二つに限らず、三つ以上に区画されてもよい。この場合、第１収納空間３ａ以外の他の収納空間には、前記収納棚に限らず、食洗機や、こんろ等の調理機器や、前方に開口した凹所等を設けてもよい。また例えば、貫通孔４４ａは、横片部４２の左右の中央に一つ設けたものに限らず、左右に所定の間隔を置いて複数設けたもの等であってもよい。
【００５８】
また例えば、キャビネット１は、収納棚２０の代りに、開閉自在な扉（収納扉）で前開口４の下部を覆うものであってもよく、この場合、左右に長尺な取手２５が前記収納扉に設けられる。すなわち、取手形状部５０は、収納棚２０の前部や前記収納扉等の前開口４を開放可能で閉塞する閉塞部材の開閉操作用の取手２５を模した外観形状となっている。また例えば、取手形状部５０は、本体部２に隣接して他の収納装置等が配置される場合、この収納装置における前記閉塞部材の取手等と略同じ形状（略同じ意匠）のものが好ましい。
【符号の説明】
【００５９】
１  キャビネット
２  本体部
２ａ  前面
２ｂ  上面
２ｃ  側面
３  収納空間
３ａ  第１収納空間
４  前開口
５  上開口
１０  カウンタ
１１  板状部
１２  垂下片
１３  下突出部
２０  収納棚
２５  取手
３０  幕板
４０  取付部材
４１  縦片部
４２  横片部
４６  取付部
４６ａ  取付部位
５０  取手形状部
５４  被保持部
５５  保持部
【図１】
2014135978.tif 000003
【図２】
2014135978.tif 000004
【図３】
2014135978.tif 000005
【図４】
2014135978.tif 000006
【図５】
2014135978.tif 000007
【図６】
2014135978.tif 000008
【図７】
2014135978.tif 000009